(57)【要約】【課題】放熱部材を備える照明装置において、大型化の抑制と放熱性の確保を両立する。【解決手段】第二回路基板１７３は、光源１７１と電気的に接続されている。ハウジング１２は、光源１７１と第二回路基板１７３を収容する灯室１４を区画する。放熱部材１６は、ハウジング１２と結合されており、光源１７１から生じた熱を放散する。給電コネクタ１７６は、放熱部材１６に設けられている。給電コネクタ１７６は、絶縁性のコネクタハウジング１７５と導電性の給電端子１７３ｃを備えている。コネクタハウジング１７５は、貫通穴１７５ｂを有している。給電端子１７３ｃは、第二回路基板１７３に接続され、貫通穴１７５ｂを通過して延びている。【選択図】図１１
2017191712.tif 000002
【特許請求の範囲】
【請求項１】
車両に搭載される照明装置であって、
光源と、
前記光源と電気的に接続されている回路基板と、
前記光源と前記回路基板を収容する灯室を区画するハウジングと、
前記ハウジングと結合されており、前記光源から生じた熱を放散する放熱部材と、
前記放熱部材に設けられたコネクタと、
を備えており、
前記コネクタは、
第一貫通穴を有している絶縁性のコネクタハウジングと、
前記回路基板に接続され、前記第一貫通穴を通過して延びている導電性の端子と、
を備えている、
照明装置。
【請求項２】
前記放熱部材は、第二貫通穴を有しており、
前記第二貫通穴は、第一最大幅寸法を有しており、
前記コネクタハウジングの一部は、前記第二貫通穴の外に配置されており、前記第一最大幅寸法よりも大きい第二最大幅寸法を有している、
請求項１に記載の照明装置。
【請求項３】
前記コネクタハウジングの一部と前記放熱部材の間に配置されており、かつ前記第一最大幅寸法よりも大きい第三最大幅寸法を有する封止部材を備えている、
請求項２に記載の照明装置。
【請求項４】
前記コネクタハウジングは、前記回路基板から離間した位置において前記放熱部材に支持されている、
請求項１から３のいずれか一項に記載の照明装置。
【請求項５】
前記放熱部材における前記ハウジングと結合される結合部は、前記光源の光出射方向から見て円形を呈している、
請求項１から４のいずれか一項に記載の照明装置。
【請求項６】
車両に搭載される照明装置の組立方法であって、
光源と電気的に接続されているとともに導電性の端子を備えている回路基板を用意し、
第一貫通穴を有している絶縁性のコネクタハウジングを用意し、
前記光源と前記回路基板を収容する灯室を区画するハウジングと結合可能であるとともに第二貫通穴を有している放熱部材を用意し、
前記コネクタハウジングを前記第二貫通穴の一端から前記放熱部材に装着し、
前記端子の先端が前記第二貫通穴の他端から前記第二貫通穴に進入するように前記回路基板を前記放熱部材に装着し、
前記端子の先端に前記第一貫通穴を通過させることによりコネクタを形成する、
組立方法。
【発明の詳細な説明】
【技術分野】
【０００１】
本発明は、車両に搭載される照明装置、および当該照明装置の組立方法に関する。
【背景技術】
【０００２】
特許文献１は、この種の照明装置の一例であるフォグランプを開示している。当該フォグランプは、ハウジングと透光カバーにより区画された灯室内に、光源と投影レンズを収容している。光源から出射された光は、投影レンズを通過することにより、車両前方に所定の配光パターンを形成する。
【０００３】
光源を動作させるための電力は、ハウジングに設けられたコネクタを通じて灯室内に収容された制御回路に供給される。光源の動作に伴い生じた熱は、放熱部材を通じて放散される。
【先行技術文献】
【特許文献】
【０００４】
【特許文献１】特表２０１５−５２２９２９号公報
【発明の概要】
【発明が解決しようとする課題】
【０００５】
本発明は、放熱部材を備える照明装置において、大型化の抑制と放熱性の確保を両立することを目的とする。
【課題を解決するための手段】
【０００６】
上記の目的を達成するために本発明がとりうる第一の態様は、車両に搭載される照明装置であって、
光源と、
前記光源と電気的に接続されている回路基板と、
前記光源と前記回路基板を収容する灯室を区画するハウジングと、
前記ハウジングと結合されており、前記光源から生じた熱を放散する放熱部材と、
前記放熱部材に設けられたコネクタと、
を備えており、
前記コネクタは、
第一貫通穴を有している絶縁性のコネクタハウジングと、
前記回路基板に接続され、前記第一貫通穴を通過して延びている導電性の端子と、
を備えている。
【０００７】
上記の目的を達成するために本発明がとりうる第二の態様は、車両に搭載される照明装置の組立方法であって、
光源と電気的に接続されているとともに導電性の端子を備えている回路基板を用意し、
第一貫通穴を有している絶縁性のコネクタハウジングを用意し、
前記光源と前記回路基板を収容する灯室を区画するハウジングと結合可能であるとともに第二貫通穴を有している放熱部材を用意し、
前記コネクタハウジングを前記第二貫通穴の一端から前記放熱部材に装着し、
前記端子の先端が前記第二貫通穴の他端から前記第二貫通穴に進入するように前記回路基板を前記放熱部材に装着し、
前記端子の先端に前記第一貫通穴を通過させることによりコネクタを形成する。
【０００８】
上記の構成においては、放熱部材にコネクタが設けられている。そのため、特許文献１に記載された照明装置のように放熱部材が結合されるハウジングに給電コネクタが設けられる構成と比較すると、光源の光出射方向から見たハウジングの断面積を小さくしやすい。他方、同方向から見た放熱部材の断面積を大きくしやすい。したがって、放熱部材を備える照明装置において、大型化の抑制と放熱性の確保を両立できる。
【０００９】
一般に、照明装置の仕様に応じて意匠が大きく変化するのはハウジングである。そのため、意匠に変更の多いハウジングに給電コネクタが設けられる構成と比較すると、部品の標準化に対応しやすい。
【００１０】
また、上記の構成においては、放熱部材に形成された第二貫通穴の一端の側からコネクタハウジングが装着され、第二貫通穴の他端の側から端子が挿入されることによりコネクタが形成される。そのため、例えばコネクタを予め回路基板上に形成しておき、他端の側から第二貫通穴を通過させる場合と比較すると、組立て作業性を向上できる。
【００１１】
上記の照明装置は、以下のように構成されうる。
前記放熱部材は、第二貫通穴を有しており、
前記第二貫通穴は、第一最大幅寸法を有しており、
前記コネクタハウジングの一部は、前記第二貫通穴の外に配置されており、前記第一最大幅寸法よりも大きい第二最大幅寸法を有している。
【００１２】
例えばコネクタを予め回路基板上に形成しておき、他端の側から第二貫通穴を通過させる場合、第二貫通穴の最小幅寸法は、第二最大幅寸法以上とされる必要がある。しかしながら、上記の組立方法においては、放熱部材に形成された第二貫通穴の一端の側からコネクタハウジングが装着され、第二貫通穴の他端の側から端子が挿入されることによりコネクタが形成される。そのため、上記のような構成を有していても、第一最大幅寸法、すなわち第二貫通穴の大きさを必要最小限にできる。この事実は、放熱部材の大型化を抑制できるだけでなく、放熱に寄与する部分の体積をより大きくできることを意味する。したがって、放熱部材を備える照明装置において、大型化の抑制と放熱性の確保を両立できる。
【００１３】
この場合、上記の照明装置は、以下のように構成されうる。
前記コネクタハウジングの一部と前記放熱部材の間に配置されており、かつ前記第一最大幅寸法よりも大きい第三最大幅寸法を有する封止部材を備えている。
【００１４】
このような構成によれば、予め封止部材を装着したコネクタハウジングを放熱部材に組み付けるのみで第二貫通穴を通じて灯室内に水分や埃が進入することを防止できる。例えばコネクタを予め回路基板上に形成しておき、他端の側から第二貫通穴を通過させる場合、通過後のコネクタを第二貫通穴の径方向外側から包囲し、かつ第二貫通穴を封止する必要がある。このような場合と比較すると、組立て作業性を大幅に向上できる。
【００１５】
上記の照明装置は、以下のように構成されうる。
前記コネクタハウジングは、前記回路基板から離間した位置において前記放熱部材に支持されている。
【００１６】
前述のように、上記の組立方法においては、放熱部材に形成された第二貫通穴の一端の側からコネクタハウジングが装着され、第二貫通穴の他端の側から端子が挿入されることによりコネクタが形成される。そのため、コネクタを予め回路基板上に形成しておき、他端の側から第二貫通穴を通過させる場合とは異なり、コネクタハウジングの前後方向の長さを必要最小限にできる。この点に関してコネクタハウジングに課せられる要件は放熱部材に保持されうることであり、回路基板に到達する必要がないからである。
【００１７】
上記の照明装置は、以下のように構成されうる。
前記放熱部材における前記ハウジングと結合される結合部は、前記光源の光出射方向から見て円形を呈している。
【００１８】
このような構成によれば、前述した部品の標準化に供される部分の光源の光出射方向から見た断面積を小さくできる。そのため、様々な仕様の照明装置に対する小型化の要求に対応しやすい。
【図面の簡単な説明】
【００１９】
【図１】一実施形態に係るフォグランプを示す斜視図である。
【図２】図１のフォグランプの一部を示す正面図である。
【図３】図１のフォグランプを示す斜視図である。
【図４】図１のフォグランプの一部を示す正面図である。
【図５】図１のフォグランプの一部を示す斜視図である。
【図６】図１のフォグランプの一部を示す斜視図である。
【図７】図１のフォグランプの一部を示す斜視図である。
【図８】図１のフォグランプの一部を示す斜視図である。
【図９】図１のフォグランプにおける第二回路基板を示す斜視図である。
【図１０】図１のフォグランプの一部を分解して示す断面図である。
【図１１】図１のフォグランプの一部を示す断面図である。
【図１２】図１のフォグランプの変形例を示す斜視図である。
【発明を実施するための形態】
【００２０】
添付の図面を参照しつつ、本発明に係る実施形態の例について以下詳細に説明する。以下の説明に用いる各図面では、各部材を認識可能な大きさとするために縮尺を適宜変更している。
【００２１】
添付の図面において、矢印Ｆは、図示された構造の前方向を示している。矢印Ｂは、図示された構造の後方向を示している。矢印Ｕは、図示された構造の上方向を示している。矢印Ｄは、図示された構造の下方向を示している。矢印Ｒは、図示された構造の右方向を示している。矢印Ｌは、図示された構造の左方向を示している。以降の説明に用いる「右」および「左」は、運転席から見た左右の方向を示している。
【００２２】
図１は、一実施形態に係るフォグランプ１１（照明装置の一例）を左前上方から見た外観を示す斜視図である。フォグランプ１１は、車両の前部に搭載される。フォグランプ１１は、ハウジング１２と透光カバー１３を備えている。
【００２３】
図２は、図１に示した状態から透光カバー１３を取り外したフォグランプ１１の外観を示す正面図である。透光カバー１３は、ハウジング１２に装着されて灯室１４を区画している。フォグランプ１１は、投影レンズ１５を備えている。投影レンズ１５は、灯室１４内に収容されている。
【００２４】
図３は、フォグランプ１１を左後下方から見た外観を示す斜視図である。フォグランプ１１は、放熱部材１６を備えている。放熱部材１６は、金属などの熱伝導性が比較的高い材料により成形されている。放熱部材１６は、背板１６ａと複数の放熱板１６ｂを備えている。背板１６ａは、ハウジング１２の後部に装着されて灯室１４の内側と外側を隔てている。複数の放熱板１６ｂは、背板１６ａの後面に設けられている。すなわち、複数の放熱板１６ｂは、灯室１４の外側に位置している。複数の放熱板１６ｂは、上下方向に延びている。
【００２５】
図４は、図２に示した状態から投影レンズ１５を取り外したフォグランプ１１の外観を示す正面図である。フォグランプ１１は、光源ユニット１７を備えている。
【００２６】
図５は、図４に示した状態からハウジング１２を取り外したフォグランプ１１を左前上方から見た外観を示す斜視図である。光源ユニット１７は、光源１７１、第一回路基板１７２、第二回路基板１７３、および接続ユニット１７４を備えている。
【００２７】
光源１７１は、所定の波長を含む光を出射する半導体発光素子である。半導体発光素子の例としては、発光ダイオード（ＬＥＤ）、レーザダイオード（ＬＤ）、有機ＥＬ素子などが挙げられる。光源１７１は、第一回路基板１７２に搭載されている。第一回路基板１７２は、表面に絶縁層が形成された金属基板である。
【００２８】
第一回路基板１７２は、光源１７１と電気的に接続された電気回路１７２ａを備えている（詳細な回路構造の図示は省略する）。第一回路基板１７２は、第一コネクタ１７２ｂを備えている。第一コネクタ１７２ｂは、電気回路１７２ａと電気的に接続されている。
【００２９】
第二回路基板１７３は、光源１７１の点消灯を含む動作を制御するための素子群を含む制御回路１７３ａを備えている（詳細な回路構造の図示は省略する）。第二回路基板１７３は、第二コネクタ１７３ｂを備えている。第二コネクタ１７３ｂは、制御回路１７３ａと電気的に接続されている。
【００３０】
接続ユニット１７４は、第三コネクタ１７４ａ、第四コネクタ１７４ｂ、および接続線１７４ｃを備えている。接続線１７４ｃは、第三コネクタ１７４ａと第四コネクタ１７４ｂを電気的に接続している。第三コネクタ１７４ａは、第一回路基板１７２の第一コネクタ１７２ｂに接続されている。第四コネクタ１７４ｂは、第二回路基板１７３の第二コネクタ１７３ｂに接続されている。結果として、光源１７１と制御回路１７３ａが電気的に接続されている。
【００３１】
図６は、図５に示した状態から光源１７１、第一回路基板１７２、および接続ユニット１７４を取り外したフォグランプ１１を左前上方から見た外観を示す斜視図である。図７は、図６に示した状態から第二回路基板１７３を取り外したフォグランプ１１を左前下方から見た外観を示す斜視図である。
【００３２】
図７に示されるように、光源ユニット１７は、コネクタハウジング１７５を備えている。コネクタハウジング１７５は、絶縁性の材料により形成されている。コネクタハウジング１７５は、隔壁１７５ａを備えている。隔壁１７５ａは、放熱部材１６の背板１６ａとともに灯室１４の内側と外側を隔てている。隔壁１７５ａには、一対の貫通穴１７５ｂ（第一貫通穴の一例）が形成されている。
【００３３】
図８は、図７に示した状態からコネクタハウジング１７５を取り外したフォグランプ１１を左前下方から見た外観を示す斜視図である。放熱部材１６には、背板１６ａの前面と後面を連通する貫通穴１６ｃ（第二貫通穴の一例）が形成されている。すなわち、貫通穴１６ｃは、放熱部材１６がハウジング１２に装着された状態において灯室１４の内側と外側を連通する。
【００３４】
図９は、第二回路基板１７３を左後下方から見た外観を示す斜視図である。第二回路基板１７３は、一対の給電端子１７３ｃを備えている。一対の給電端子１７３ｃは、導電性の材料により形成されている。一対の給電端子１７３ｃの基端部は、第二回路基板１７３の後面に固定されている。一対の給電端子１７３ｃは、第二回路基板１７３の後面より後方に延びている。一対の給電端子１７３ｃは、制御回路１７３ａと電気的に接続されている。すなわち、一対の給電端子１７３ｃは、接続ユニット１７４を介して光源１７１と電気的に接続される。
【００３５】
図１０は、図２における線Ｖ１−Ｖ１に沿う放熱部材１６、第二回路基板１７３、およびコネクタハウジング１７５の断面を矢印方向から見た構成を示している。
【００３６】
図７と図１０に示されるように、コネクタハウジング１７５は、円筒状部１７５ｃを有している。コネクタハウジング１７５は、複数の爪１７５ｄを備えている。複数の爪１７５ｄは、円筒状部１７５ｃの周方向に沿って間隔をあけて配列されている。他方、放熱部材１６の貫通穴１６ｃの内周面には、複数の爪１７５ｄに対応するように複数の溝１６ｃ１が形成されている。
【００３７】
本実施形態においては、コネクタハウジング１７５は、灯室１４の外側から放熱部材１６に装着される。具体的には、放熱部材１６に形成された貫通穴１６ｃの後端１６ｃ２（第二貫通穴の一端の一例）からコネクタハウジング１７５の円筒状部１７５ｃが挿入される。円筒状部１７５ｃの挿入は、複数の爪１７５ｄと複数の溝１６ｃ１が係合された状態で行なわれる。
【００３８】
複数の爪１７５ｄが貫通穴１６ｃの前端１６ｃ３（第二貫通穴の他端の一例）を通過すると、コネクタハウジング１７５が円筒状部１７５ｃの周方向に捻られる。これにより、図７に示されるように、複数の爪１７５ｄと複数の溝１６ｃ１の係合が解除され、コネクタハウジング１７５の後方への変位が規制される。すなわち、コネクタハウジング１７５の放熱部材１６への装着は、いわゆるバヨネットマウント方式を通じて行なわれる。
【００３９】
次に、一対の給電端子１７３ｃの先端が貫通穴１６ｃの前端１６ｃ３から貫通穴１６ｃに進入するように第二回路基板１７３が放熱部材１６に装着される。これにより、一対の給電端子１７３ｃの先端にコネクタハウジング１７５の一対の貫通穴１７５ｂを通過させる。これにより、図１１に示される給電コネクタ１７６が形成される。
【００４０】
図１１は、図２における線Ｖ１−Ｖ１に沿うフォグランプ１１の断面を矢印方向から見た構成を示している。なお、透光カバー１３も図示に含まれている。図６と図１１に示されるように、第二回路基板１７３は、放熱部材１６の背板１６ａの前面に支持される。
【００４１】
図３と図１１に示されるように、給電コネクタ一対の給電端子１７３ｃの先端は、コネクタハウジング１７５内に配置されるとともに、フォグランプ１１の後方に露出している。一対の給電端子１７３ｃの一部は、コネクタハウジング１７５における一対の貫通穴１７５ｂ内に配置されている。
【００４２】
放熱部材１６は、支持テーブル１６ｄを備えている。支持テーブル１６ｄは、背板１６ａの前面より前方に突出している。すなわち、支持テーブル１６ｄは、灯室１４の内側に位置している。第一回路基板１７２は、ネジなどの締結部材によって支持テーブル１６ｄに固定される。
【００４３】
車両側から電力を供給するためのコネクタ（不図示）が、給電コネクタ１７６に接続される。供給された電力は、給電端子１７３ｃを通じて制御回路１７３ａに入力される。制御回路１７３ａは、所望の動作に応じた制御信号を出力する。ここで「制御信号」とは、光源１７１の動作状態を規定する電圧または電流の経時的変化を意味する。一時的に一定値をとり続けることもまた「経時的変化」の意味に含む。
【００４４】
出力された信号は、接続ユニット１７４を介して第一回路基板１７２の電気回路１７２ａに入力され、光源１７１に至る。光源１７１は、制御信号に応じた強度の光を出射する。光源１７１から出射された光の少なくとも一部は、投影レンズ１５を通過する。投影レンズ１５を通過した光は透光カバー１３を通過し、フォグランプ１１の前方を所定の配光パターンで照明する。
【００４５】
光源１７１の光出射動作に伴い生じる熱は、第一回路基板１７２を介して放熱部材１６に伝わり、放熱部材１６によって放散される。
【００４６】
本実施形態の構成においては、放熱部材１６に給電コネクタ１７６が設けられている。そのため、特許文献１に記載された照明装置のように放熱部材が結合されるハウジングに給電コネクタが設けられる構成と比較すると、光源１７１の光出射方向から見たハウジング１２の断面積を小さくしやすい。他方、同方向から見た放熱部材１６の断面積を大きくしやすい。したがって、放熱部材１６を備えるフォグランプ１１において、大型化の抑制と放熱性の確保を両立できる。
【００４７】
一般に、フォグランプ１１の仕様に応じて意匠が大きく変化するのはハウジング１２である。図１２は、一変形例として、そのような意匠の異なるハウジング１２Ａを備えるフォグランプ１１Ａを示している。意匠に変更の多いハウジングに給電コネクタが設けられる構成と比較すると、部品の標準化に対応しやすい。
【００４８】
実際、フォグランプ１１とフォグランプ１１Ａの相違点はハウジング１２とハウジング１２Ａの形状の相違点のみである（ハウジング１２Ａに結合される透光カバーの形状も当然に相違する）。フォグランプ１１Ａが備えている光源ユニット１７と放熱部材１６は、フォグランプ１１を参照して説明したものと同一である。
【００４９】
また、本実施形態においては、放熱部材１６に形成された貫通穴１６ｃの後端１６ｃ２の側からコネクタハウジング１７５が装着され、貫通穴１６ｃの前端１６ｃ３の側から給電端子１７３ｃが挿入されることにより給電コネクタ１７６が形成される。そのため、例えば給電コネクタ１７６を予め第二回路基板１７３上に形成しておき、前端１６ｃ３の側から貫通穴１６ｃを通過させる場合と比較すると、組立て作業性を向上できる。
【００５０】
図１１に示されるように、給電コネクタ１７６におけるコネクタハウジング１７５の後部１７５ｅは、放熱部材１６に形成された貫通穴１６ｃの外側（灯室１４の外側）に配置されている。図１０に示されるように、貫通穴１６ｃは、第一最大幅寸法Ｗ１を有している。他方、コネクタハウジング１７５の後部１７５ｅは、第二最大幅寸法Ｗ２を有している。第二最大幅寸法Ｗ２は、第一最大幅寸法Ｗ１よりも大きい。
【００５１】
例えば給電コネクタ１７６を予め第二回路基板１７３上に形成しておき、前端１６ｃ３の側から貫通穴１６ｃを通過させる場合、貫通穴１６ｃの最小幅寸法は、第二最大幅寸法Ｗ２以上とされる必要がある。しかしながら、本実施形態においては、放熱部材１６に形成された貫通穴１６ｃの後端１６ｃ２の側からコネクタハウジング１７５が装着され、貫通穴１６ｃの前端１６ｃ３の側から給電端子１７３ｃが挿入されることにより給電コネクタ１７６が形成される。そのため、上記のような構成を有していても、第一最大幅寸法Ｗ１、すなわち貫通穴１６ｃの大きさを必要最小限にできる。この事実は、放熱部材１６の大型化を抑制できるだけでなく、放熱に寄与する部分の体積をより大きくできることを意味する。したがって、放熱部材１６を備えるフォグランプ１１において、大型化の抑制と放熱性の確保を両立できる。
【００５２】
図１１に示されるように、光源ユニット１７は、封止部材１７７を備えている。封止部材１７７は、コネクタハウジング１７５の後部１７５ｅと放熱部材１６の間に配置されている。封止部材１７７は、弾性変形可能な部材により形成されている。封止部材１７７は、例えばＯリングである。
【００５３】
図１０に示されるように、封止部材１７７は、第三最大幅寸法Ｗ３を有している。第三最大幅寸法Ｗ３は、第一最大幅寸法Ｗ１よりも大きい。本実施形態においては、第三最大幅寸法Ｗ３は、第二最大幅寸法Ｗ２よりも小さい。しかしながら、第三最大幅寸法Ｗ３の第二最大幅寸法Ｗ２に対する寸法関係は任意である。
【００５４】
このような構成によれば、予め封止部材１７７が装着されたコネクタハウジング１７５を放熱部材１６に組み付けるのみで貫通穴１６ｃを通じて灯室１４内に水分や埃が進入することを防止できる。例えば給電コネクタ１７６を予め第二回路基板１７３上に形成しておき、前端１６ｃ３の側から貫通穴１６ｃを通過させる場合、通過後の給電コネクタ１７６を貫通穴１６ｃの径方向外側から包囲し、かつ貫通穴１６ｃを封止する必要がある。このような場合と比較すると、組立て作業性を大幅に向上できる。
【００５５】
図１１に示されるように、コネクタハウジング１７５は、第二回路基板１７３から離間した位置において放熱部材１６に支持されている。
【００５６】
前述のように、本実施形態においては、放熱部材１６に形成された貫通穴１６ｃの後端１６ｃ２の側からコネクタハウジング１７５が装着され、貫通穴１６ｃの前端１６ｃ３の側から給電端子１７３ｃが挿入されることにより給電コネクタ１７６が形成される。そのため、給電コネクタ１７６を予め第二回路基板１７３上に形成しておき、前端１６ｃ３の側から貫通穴１６ｃを通過させる場合とは異なり、コネクタハウジング１７５の前後方向の長さを必要最小限にできる。この点に関してコネクタハウジング１７５に課せられる要件は放熱部材１６に保持されうることであり、第二回路基板１７３に到達する必要がないからである。
【００５７】
図３および図５から図８より明らかなように、放熱部材１６においてハウジング１２と結合される背板１６ａ（結合部の一例）は、光源１７１の光出射方向から見て円形を呈している。
【００５８】
このような構成によれば、前述した部品の標準化に供される部分の光源１７１の光出射方向から見た断面積を小さくできる。そのため、様々な仕様のフォグランプ（例えばフォグランプ１１、１１Ａ）に対する小型化の要求に対応しやすい。
【００５９】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００６０】
本実施形態においては、灯室１４内に配置される第二回路基板１７３が、光源１７１の動作を制御する制御回路１７３ａと一対の給電端子１７３ｃを備えている。しかしながら、制御回路は、フォグランプ１１の外部（車両のＥＣＵなど）に設けられうる。この場合、光源１７１を支持している第一回路基板１７２に信号入力端子が設けられ、当該信号入力端子とコネクタハウジング１７５によって信号中継コネクタが形成される。外部で生成された制御信号は、信号中継コネクタの信号入力端子を介して第一回路基板１７２に入力され、光源１７１に所望の動作を実行させる。
【００６１】
上記の実施形態においては、接続ユニット１７４を介して第一コネクタ１７２ｂと第二コネクタ１７３ｂが接続されることにより、光源１７１と制御回路１７３ａが電気的に接続されている。しかしながら、両者が電気的に接続されうるのであれば、介在する電気的な構成は適宜のものが採用されうる。例えば、接続ユニット１７４の信号線１７４ｃはＦＦＣなどで置き換えられうる。また、第一コネクタ１７２ｂと第二コネクタ１７３ｂの少なくとも一方は、電気的接点などで置き換えられうる。
【００６２】
本実施形態においては、いわゆるバヨネットマウント方式を通じてコネクタハウジング１７５が放熱部材１６に装着されている。しかしながら、コネクタハウジング１７５は、スナップフィット方式など適宜の手法を通じて放熱部材１６に装着されうる。
【００６３】
第二回路基板１７３とコネクタハウジング１７５は物理的に分離されているため、コネクタハウジング１７５は、後方へ着脱可能に構成されうる。
【００６４】
上記の実施形態においては、照明装置の一例としてフォグランプ１１を例示した。しかしながら、本発明は、車両に搭載されるように構成され、放熱部材を備える各種の照明装置に適用可能である。フォグランプ１１の前後方向、左右方向、および上下方向と車両の前後方向、左右方向、および上下方向はそれぞれ一致している。しかしながら、本発明が適用される照明装置によっては、当該照明装置の前後方向、左右方向、および上下方向と車両の前後方向、左右方向、および上下方向の少なくとも一つは一致しない。
【符号の説明】
【００６５】
１１、１１Ａ：フォグランプ、１２、１２Ａ：ハウジング、１４：灯室、１６：放熱部材、１６ａ：背板、１６ｃ：貫通穴、１６ｃ２：貫通穴の後端、１６ｃ３：貫通穴の前端、１７１：光源、１７３：第二回路基板、１７３ｃ：給電端子、１７５：コネクタハウジング、１７５ｂ：貫通穴、１７５ｅ：後部、１７６：給電コネクタ、１７７：封止部材、Ｗ１：第一最大幅寸法、Ｗ２：第二最大幅寸法、Ｗ３：第三最大幅寸法
【図１】
2017191712.tif 000003
【図２】
2017191712.tif 000004
【図３】
2017191712.tif 000005
【図４】
2017191712.tif 000006
【図５】
2017191712.tif 000007
【図６】
2017191712.tif 000008
【図７】
2017191712.tif 000009
【図８】
2017191712.tif 000010
【図９】
2017191712.tif 000011
【図１０】
2017191712.tif 000012
【図１１】
2017191712.tif 000013
【図１２】
2017191712.tif 000014